(57)【特許請求の範囲】
【請求項１】
基板と、
中央部が円錐形に立ち上がるスパイラル状接触子（ＳＣ）を凸設した信号端子（ＴＳ）および接地端子（ＴＧ）が隣接して前記基板の表裏に配設された複数のパターン面と、
前記基板の内部に設けられ、前記基板の表裏の前記信号端子（ＴＳ）同士および前記基板の表裏の前記信号端子（ＴＳ）同士にそれぞれ導通するスルーホール（２２）と、
前記基板の内部において、前記信号端子（ＴＳ）に対応するスルーホール（２２）に設けられる第１電極（４２）と、
前記基板の内部において、前記第１電極（４２）との絶縁を保持しながら前記接地端子（ＴＧ）に対応するスルーホール（２２）に設けられる第２電極（４３）と、を備え、
前記第１電極（４２）と前記第２電極（４３）により端子間静電容量（ＣＰ）を形成することを特徴とする高周波ソケット（５０）。
【請求項２】
前記複数のパターン面および前記スルーホール（２２）を有する多層基板（４０）において、
表層とは異なるパターン面により前記第１電極（４２）および前記第２電極（４３）を形成し、
前記隣接する信号端子（ＴＳ）および接地端子（ＴＧ）の端子間で形成される端子間静電容量（ＣＰ）が増大する構成であることを特徴とする請求項１に記載の高周波ソケット（５０）。
【請求項３】
多層基板（４０，２０）の隣接する前記端子間静電容量（ＣＰ）を形成するために、前記接地端子（ＴＧ）を含むパターンの面積を広くし、前記信号端子（ＴＳ）を含むパターンの面積を狭くしたことを特徴とする請求項１に記載の高周波ソケット（５０，５１）。
【請求項４】
前記多層基板（４０，２０）として二層基板（２０）を用い、
前記二層基板（２０）それぞれの表層パターンにより、
一方のＣＰ形成パターンによる前記第１電極（２７）と、
他方のＣＰ形成パターンによる前記第２電極（２８）と、を形成することを特徴とする請求項３に記載の高周波ソケット（５１）。
【発明の詳細な説明】
【技術分野】
【０００１】
本発明は、半導体デバイスの検査装置等に用いられるスパイラル状接触子を有する高周波ソケットに関する。
【背景技術】
【０００２】
多機能化、高機能化で進化する電子機器に対応できる極小のプリント基板を接続するコネクタとして、プリント基板の接続端子に設けられたマイクロコネクタによって接続されるＦＰＣ基板の接続端子が、基端部から中心部に向かって渦巻き部を有するスパイラル状接触子（以下、単に「スパイラル状接触子ＳＣ」という）の複数を備えたスパイラルコンタクタが知られている（例えば、特許文献１参照）。
また、スパイラル状接触子ＳＣは円錐形に立ち上がった形状を記憶しているため、被接続端子との圧接状態から解除されると再び円錐形のふくらみを回復する。そして、相手となる被接続端子がスパイラル状接触子ＳＣに圧接すれば再び同様に導通することが可能であるため、被接続端子を有する電子部品に対しスパイラル状接触子ＳＣが弾性接触の保持された嵌着状態と開放状態とを、繰り返し着脱自在にした高周波ソケットを有する半導体デバイスの検査装置等に用いて好適である。
【特許文献１】特開２００５−５６６０６号公報（段落００２９、図４）
【発明の開示】
【発明が解決しようとする課題】
【０００３】
しかしながら、スパイラル状接触子ＳＣはインダクタンスＬ成分（以下、単に「Ｌ成分」ともいう）を有するコイル状であるため、半導体デバイス等のモジュール、すなわち、複数の接続端子をプリント基板にハンダ付けするタイプの電子部品（以下、単に「電子部品」ともいう）を、ハンダ付けの代替手段として高周波ソケットに嵌着した際に、ミスマッチングが生じて高周波特性が劣化するという問題があった。例えば、0〜30GHzの範囲で高周波特性を解析した結果、主にＬ成分の影響により、周波数が高くなるほど反射損が増大し、例えば15GHzで反射損＝−6dB、すなわち約50％の反射波が存在することによって、伝送損が増大して信号が減衰する。つまり、Ｌ成分の影響により、高周波特性が劣化する。
【０００４】
そこで、本発明では、前記した問題を解決し、半導体デバイスの検査装置等で実績のあるスパイラル状接触子ＳＣを有する高周波ソケットにおいて、スパイラル状接触子ＳＣそれ自体がコイルであるため生ずるＬ成分の悪影響を除去して高周波特性の劣化を防ぎ、モジュール等の電子部品を嵌着した際のミスマッチングを解消するようにした高周波ソケットを提供することを課題とする。
【課題を解決するための手段】
【０００５】
前記課題を解決するため、請求項１に係る高周波ソケット（５０）の発明は、基板と、
中央部が円錐形に立ち上がるスパイラル状接触子（ＳＣ）を凸設した信号端子（ＴＳ）および接地端子（ＴＧ）が隣接して前記基板の表裏に配設された複数のパターン面と、前記基板の内部に設けられ、前記基板の表裏の前記信号端子（ＴＳ）同士および前記基板の表裏の前記信号端子（ＴＳ）同士にそれぞれ導通するスルーホール（２２）と、前記基板の内部において、前記信号端子（ＴＳ）に対応するスルーホール（２２）に設けられる第１電極（４２）と、前記基板の内部において、前記第１電極（４２）との絶縁を保持しながら前記接地端子（ＴＧ）に対応するスルーホール（２２）に設けられる第２電極（４３）と、を備え、前記第１電極（４２）と前記第２電極（４３）により端子間静電容量（ＣＰ）を形成することを特徴とする。
【０００６】
請求項１に係る発明によれば、中央部が円錐形に立ち上がるスパイラル状接触子（ＳＣ）を、それぞれの端子に凸設した信号端子（ＴＳ）と接地端子（ＴＧ）とを隣接して配設された高周波ソケット（５０）において、スパイラル状接触子（ＳＣ）は、その形状がコイルそのものでありインダクタンスＬ成分が潜在するため、この高周波ソケット（５０）を介在させた高周波周波数帯域の入出力にはミスマッチングのため、反射損（Ａ１１）や伝送損（Ａ２１）が生じているので、これらを解消する。
【０００７】
すなわち、信号端子（ＴＳ）に導通する第１電極（４２）と、この第１電極（４２）との絶縁を保持しながら接地端子（ＴＧ）に導通する第２電極（４３）を備えているので、これら第１電極（４２）と第２電極（４３）により端子間静電容量（ＣＰ）を形成している。そして、この端子間静電容量（ＣＰ）により、信号端子（ＴＳ）と接地端子（ＴＧ）との間にコンデンサ（ＣＰ）を接続した作用を得られる。このコンデンサ（ＣＰ）により、信号端子（ＴＳ）に直列挿入された関係にあるＬ成分と相まってＴ型ローパスフィルタ（ＬＰＦ）を基本原理とするマッチング回路が等価的に構成されたことになる。
【０００８】
また、このマッチング回路の定数設定が適切にすることによって、目的の周波数帯域において、反射損（Ａ１１）や伝送損（Ａ２１）を最小化するような、最良の高周波特性を得ることができる。すなわち、スパイラル状接触子（ＳＣ）を介在させた高周波ソケット（５０）の入出力をマッチングさせることが可能である。さらに、反射損（Ａ１１）や伝送損（Ａ２１）を最小化することが可能なマッチング周波数の範囲も、目的の周波数帯域に一致させることで、より広帯域化することも可能となる。
【０００９】
請求項２に係る発明は、前記複数のパターン面および前記スルーホール（２２）を有する多層基板（４０）において、表層とは異なるパターン面により前記第１電極（４２）および前記第２電極（４３）を形成し、前記隣接する信号端子（ＴＳ）および接地端子（ＴＧ）の端子間で形成される端子間静電容量（ＣＰ）が増大する構成であることを特徴とする請求項１に記載の高周波ソケット（５０）である。
【００１０】
請求項２に係る発明によれば、例えば、４層構造の多層基板（４０）における第２層パターン（４２）で第１電極（４２）を形成し、第３層パターン（４３）で第２電極（４３）を形成する。この構成で、表層とは異なるパターン面により第１電極（４２）および第２電極（４３）を形成し、スルーホール（２２）で多層基板（４０）の表層とは異なるパターン面、または、表裏にわたり信号端子（ＴＳ）および接地端子（ＴＧ）それぞれが異なる層間を跨いで対向する第１電極（４２）と第２電極（４３）それぞれに接続できる。そうすると、両端子間で形成される端子間静電容量（ＣＰ）が増大するので、容易かつ確実に目的を達成できる。そして、ＣＰ形成パターンを表層から遠ざけることによって、スパイラル状接触子（ＳＣ）とコンタクトする半導体デバイス等の電子部品（１０）にスパイラル状接触子（ＳＣ）が接触する際、高周波特性の変化が少なく、実用価値の高い最適な構造を実現できる。
【００１１】
請求項３に係る発明は、多層基板（４０，２０）の隣接する前記端子間静電容量（Ｃ）を形成するために、前記接地端子（ＴＧ）を含むパターンの面積を広くし、前記信号端子（ＴＳ）を含むパターンの面積を狭くしたことを特徴とする請求項１に記載の高周波ソケット（５０，５１）である。
【００１２】
請求項３に係る発明によれば、スパイラル状接触子（ＳＣ）および電子部品（１０）を実装するプリント基板に対する金属接近の影響は、接地端子（ＴＧ）よりも信号端子（ＴＳ）の方がより敏感かつ不安定であるため、信号端子（ＴＳ）を含む上側ＣＰ形成パターン（２７）を狭くすることにより外乱の影響から鈍感にし、金属接近等を原因として不安定になる悪影響を避けるためであり、スパイラル状接触子（ＳＣ）とコンタクトする半導体デバイス等の電子部品（１０）にスパイラル状接触子（ＳＣ）が接触する際、高周波特性の変化が少なく、実用価値の高い最適な構造を実現できる。
【００１３】
請求項４に係る発明は、前記多層基板（４０，２０）として二層基板（２０）を用い、前記二層基板（２０）それぞれの表層パターンにより、一方のＣＰ形成パターンによる前記第１電極（２７）と、他方のＣＰ形成パターンによる前記第２電極（２８）と、を形成することを特徴とする請求項３に記載の高周波ソケット（５１）である。
【００１４】
請求項４に係る発明によれば、より簡素かつ安価な二層基板（２０）を用い、それぞれ表層に露出した各パターン面のうち、一方のＣＰ形成パターンによる前記第１電極（２７）と、他方のＣＰ形成パターンによる前記第２電極（２８）と、を形成した高周波ソケット（５１）によれば、より簡素かつ安価に高周波特性を改善する効果が得られる。
【発明の効果】
【００１５】
請求項１に係る発明によれば、目的の周波数帯域において、反射損と伝送損を最小化するような、最良の高周波特性を得ることができる。すなわち、Ｌ成分を有するスパイラル状接触子ＳＣを介在させた高周波ソケットの入出力をマッチングさせ、かつ、マッチング可能な周波数の範囲も、目的の周波数帯域に一致させることで、より広帯域化することも可能となる。
【００１６】
請求項２に係る発明によれば、多層基板の表層とは異なるパターン面、または、表裏にわたり信号端子および接地端子それぞれが異なる層間を跨いで対向する第１電極と第２電極それぞれに接続できる。そうすると、両端子間で形成される端子間静電容量ＣＰが増大するので、高周波ソケットの入出力をマッチングさせる目的を容易かつ確実に達成できる。そして、ＣＰ形成パターンを表層から遠ざけることによって、スパイラル状接触子ＳＣとコンタクトするデバイスユニットや、スパイラル状接触子ＳＣ実装基板の金属接近影響、すなわち干渉が少なくなり、スパイラル状接触子ＳＣとコンタクト時の高周波特性変化が少ない実用的構造を実現できる。
【００１７】
請求項３に係る発明によれば、スパイラル状接触子ＳＣとコンタクト時の高周波特性変化が少ない実用的構造を実現できる。
【００１８】
請求項４に係る発明によれば、二層基板を用いた高周波ソケットで、より簡素かつ安価に高周波特性を改善する効果が得られる。
【発明を実施するための最良の形態】
【００１９】
以下、本発明に係る高周波ソケットの実施の形態を、図面を参照しながら詳細に説明する。なお、高周波ソケットと類似の構造で高周波コネクタと称する場合も、本発明の技術的範囲に含まれる。
図１は第１実施形態に係る高周波ソケットを示す透視した斜視図である。以下、各図にわたって同一効果の部位には同一符号を付して説明の重複を避ける。
図２は図１に示した高周波ソケットの利用状態の説明図であり、図２（ａ）はスパイラル状接触子が接触する以前の一部断面した正面図、図２（ｂ）は図２（ａ）に示した高周波ソケットをＡ−Ａ線で断面した平面図である。図１，図２に示すように、信号端子ＴＳの両脇を接地端子ＴＧで挟んでノイズを遮蔽するように３端子を一列に並べてＧＳＧ端子が構成されている。高周波ソケット５０は複数のＧＳＧ端子を組み合わせても良いが、３端子一組のＧＳＧ端子により詳細に説明する。
なお、図９（ａ）スパイラル状接触子が半分押し潰された状態の正面図と、図９（ｂ）スパイラル状接触子が完全に押し潰された状態の正面図により、後記する第２実施形態に係る高周波ソケット５１において、スパイラル状接触子ＳＣが、相手の被接続端子１１と接触する際に、弾性変形する途中経過を図示しているので、図１，図２に示した第１実施形態に係る高周波ソケット５０も同様であるため説明を省略する。
【００２０】
図１，図２（ａ），図２（ｂ）に示す多層基板４０の上面には、信号端子ＴＳを含む上側信号パターン２５Ｓと、これら上側信号パターン２５Ｓに隣接するように、接地端子ＴＧを含む上側接地パターン２５Ｇが配設されている。また、多層基板４０の下面には、信号端子ＴＳを含む下側信号パターン２６Ｓと、これら下側信号パターン２６Ｓに隣接するように、接地端子ＴＧを含む下側接地パターン２６Ｇが配設されている。また、信号端子ＴＳと接地端子ＴＧにはそれぞれスパイラル状接触子ＳＣが導通を保持して配設されている。すなわち、上側信号パターン２５Ｓ、上側接地パターン２５Ｇ、下側信号パターン２６Ｓ、および、下側接地パターン２６Ｇの各パターンの上に、それぞれのスパイラル状接触子ＳＣが導通を確保して載置されている。
【００２１】
そして、上側信号パターン２５Ｓと下側信号パターン２６Ｓは多層基板４０を貫通するスルーホール２２により導通される途中で第二層パターン４２にも導通している。同様に、上側接地パターン２５Ｇと下側接地パターン２６Ｇが別のスルーホール２２により導通される途中で第三層パターン４３にも導通している。なお、多層基板４０の「上面」と「下面」に関連して、各部を「上側」と「下側」の区別により呼称しているのは、説明の便宜上に過ぎず、機能的には何れの面が上でも下でも構わない。
【００２２】
図１，図２（ａ）に示すように、第二層パターン４２と第三層パターン４３との相互関係は、絶縁された第１電極（４２）と第２電極（４３）の関係にあるので、両者の間には端子間静電容量ＣＰによる特性が存在する。その端子間静電容量ＣＰにより「コンデンサＣＰ」が形成されることを「ＣＰ形成」と呼び、その値のことを「ＣＰ値」または「容量値」とも呼び、これらの値は絶縁材料の誘電率、対向する各電極の面積、電極間の距離を計算することにより所望値に設定可能な値である。周知のとおり、誘電率を高く、電極の面積を広く、電極間の距離をより接近させることにより容量値を高めることが可能である。
【００２３】
図１，図２，および後記説明する図７，図８に示すスパイラル状接触子ＳＣは、それ自体がスパイラル形状であるためにコイル状であり、Ｌ成分を有するため、高周波特性の管理を必要とする用途、たとえば、半導体デバイス（以下、「電子部品１０」という）の検査装置等に用いられてモジュール挿入時にミスマッチングが生じて高周波特性が劣化する。
【００２４】
そこで、本発明では、コイルを形成するスパイラル状接触子ＳＣにおいて、不可避とされていたＬ成分による悪影響を除去し、高周波特性の劣化を防ぎ、モジュール等の電子部品１０を嵌着した際、信号伝送に係るミスマッチングを解消できるようにした高周波ソケット５０を提供する。また、特に渦巻きが鋭利な切刃（図２，図８参照）を形成するスパイラル状接触子ＳＣが、接触する相手となる電子部品１０の被接続端子１１との間で、弾性的接触が得られる際に、被接続端子１１の表面が酸化発錆等により絶縁被膜を生じている場合であっても、スパイラル状接触子ＳＣの鋭利な尖鋭部が擦れる際に、絶縁被膜を切り裂くことにより導電性の良好な金属どうしで接触するので確実な導通が保証される。
【００２５】
電子部品１０から配線接続用に露出した被接続端子１１は、高周波ソケット５０を構成する多層基板４０のパターン（ランド）に配設された各スパイラル状接触子ＳＣに対面し、着脱自在に接続される。なお、特定の被接続端子１１を所定のスパイラル状接触子ＳＣに対面させる位置決め手段、嵌着保持手段、および非破壊離脱手段等に関しては、既に確立されていることを前提にしているので説明を省略する。
【００２６】
図３は第１実施形態に係る高周波ソケット５０の高周波特性に関する説明図であり、図３（ａ）はＴ型ローパスフィルタ（以下、「Ｔ型ＬＰＦ」と略す）による等価回路図、図３（ｂ）は、その周波数特性グラフである。図３（ａ）に示すＴ型ＬＰＦによる等価回路図は、第１コイルＬ１と第２コイルＬ２とコンデンサＣＰの各一端をスルーホール２２に相当する１点に接続し、コンデンサＣＰの反対側の一端を接地端子ＴＧに接地したものである。
【００２７】
高周波特性を解析するため図示せぬ測定器（以下、単に「測定器」という）に、第１コイルＬ１の一端が接続されたポートＰ１から信号を入力して第２コイルＬ２の一端が接続されたポートＰ２から信号を出力するＴ型ＬＰＦを等価回路にして、動作をシミュレーションする。つまり、２箇所の信号端子ＴＳと接地端子ＴＧの間にＴ型ＬＰＦが介在しているものと見なして高周波特性を解析するのである。そうすれば、定数が既知で単独のＬ素子，Ｃ素子をＴ型ＬＰＦ内で交換して模擬実験しながら、効率良く最適な設計をすることが可能となる。
【００２８】
図３（ｂ）において、楕円囲Ａ１１で示す曲線は反射損（以下、「反射損Ａ１１」という）に関する周波数特性であり、もし、反射損Ａ１１＝0dB（グラフの最上方）＝１倍の反射があれば、入力信号が全反射されるので伝送効率０％となる。つまり、反射損Ａ１１はグラフの下方に位置するほど良好な特性である。また、楕円囲Ａ２１は伝送損（以下、「伝送損Ａ２１」という）に関する周波数特性であり、伝送損Ａ２１＝0dB＝１倍で伝送効率１００％である。つまり、伝送損Ａ２１はグラフの上方に位置するほど良好な特性である。
【００２９】
図３（ａ）に示したＬ１，Ｌ２の中点に一端を接続して他端が接地されているＣＰ値を0pF，0.1pF，0.15pF，0.2pFの４種類に変化させた場合別の周波数特性を図３（ｂ）に沿って説明する。図３（ｂ）グラフにおいて、例えば、ＣＰ＝0pFでは、Ｌ１＝Ｌ２＝0.4nHの影響でミスマッチングが発生する。つまり、反射損Ａ１１＝−7dB/at10GHzで周波数が高くなるほど劣化（グラフで右肩上がり）している。一方、伝送損Ａ２１も13GHz前後で0〜1dB減衰（グラフで右肩下がり）している。
【００３０】
そこで、ＣＰ値を適切に設定することにより、例えば、15GHz以下を所望の周波数帯域とするならば、その周波数帯域で、反射損Ａ１１が向上（グラフで下向き）することを示している。具体的には、ＣＰ＝0.2pF（太線）の設定ならば反射損Ａ１１＝−20dB/at15GHz、すなわち、15GHz以下の周波数帯域では、反射損Ａ１１を−20dBより少ない値にまで低減することができた。一方、伝送損Ａ２１も0dB/at20GHz、すなわち、20GHz以下の周波数帯域では、伝送損Ａ２１が生じないという良好な結果である。
【００３１】
図４は測定条件を揃えて測定した従来例に係る高周波ソケット５０の高周波特性であり、図４（ａ）は等価回路図であり、図４（ｂ）は、その周波数特性グラフである。従来例を実態図で示すことは省略しているが、図１，図２に示した高周波ソケット５０から、第二層パターン（第１電極）４２、および第三層パターン（第２電極）４３を除去したものである。図４（ａ）において、６個ともに同一値のＬ＝0.27nHはスパイラル部分のインダクタンスであり、２個のＣ０＝0.02pFは多層基板の隣接端子間の浮遊容量（以下、単に「Ｃ０」と略す）である。
なお、スパイラル状接触子ＳＣを備えた６端子で構成されたＧＳＧ端子のうち、一方の信号端子ＴＳに測定器のポートＰ１を接続し、他方の信号端子ＴＳには、測定精度を確保するための理想トランスＴＲを介してポートＰ２に接続することにより高周波特性を解析した結果、Ｃ０＝0.02pFそのままでは容量値不足のため、高周波特性が劣化している。不適切な値Ｃ０＝0.02pFと固有インダクタンスＬ＝0.27nHの影響でミスマッチングが発生している。具体的には、反射損Ａ１１＝−6dB/at15GHz＝50％で、そこから周波数が高くなるほど反射損Ａ１１は劣化（グラフで右肩上がり）している。一方、伝送損Ａ２１＝−1.5dB/at15GHz、すなわち、15GHzで−1.5dB減衰し、そこから周波数が高くなるほど大きく減衰（グラフで右肩下がり）している。
【００３２】
図５は測定条件を揃えて測定した図１，図２に示す高周波ソケット５０の高周波特性である。図５（ａ）は高周波ソケット５０に対応した等価回路図、図５（ｂ）は周波数特性グラフである。図４（ａ）と比較して図５（ａ）の異なる点は、隣接端子間に２個のコンデンサＣＰが追加された多層基板４０（図１，図２）である点である。
そこで、ＣＰ値を適切に設定することにより、例えば、15GHz以下を所望の周波数帯域とするならば、その周波数帯域で、反射損Ａ１１を向上（グラフの下方）させて、伝送損Ａ２１を最小（グラフの上方）にすることができる。
ここで、ＣＰ＝を0.04pF，0.06pF，0.08pF，0.1pFの４種類に変化させた周波数特性を図５（ｂ）に示している。例えば、15GHz以下を所望の周波数帯域とするならば、ＣＰ＝0.08pF〜0.1pFの値に設定することで、反射損Ａ１１が向上（グラフの下方）し、かつ、伝送損Ａ２１も0dB/at15GHzと良好であることが確認できた。
【００３３】
図６は図１に示した高周波ソケット５０による最良の高周波特性であり、図６（ａ）は等価回路図、図６（ｂ）は周波数特性グラフである。この高周波ソケット５０は、図１に示すように第２層パターン４２と第３層パターン４３を配設してＣＰ値＝0.09pFに設定したとき、0〜15GHzにわたって反射損Ａ１１を−20dB以下に抑制し、かつ、伝送損Ａ２１も図示のとおり0dBと良好である。すなわち、広帯域にわたって、反射損Ａ１１および伝送損Ａ２１を最小限に抑制することを安定的に実現できる。
【００３４】
以下、図７〜図９を用いて第２の実施形態を説明する。図７は第２実施形態に係る高周波ソケットを示す透視した斜視図である。図８は図７に示した高周波ソケット５０の利用状態の説明図であり、図８（ａ）は正面図、図８（ｂ）は図８（ａ）に示した高周波ソケットをＢ−Ｂ線で断面した平面図である。
図９は図８に示した高周波ソケットの利用状態の説明図であり、図９（ａ）はスパイラル状接触子が半分押し潰された状態の正面透視図、図９（ｂ）はスパイラル状接触子が完全に押し潰された状態の正面透視図である。
図７〜図９に示す二層基板２０の上面には、信号端子ＴＳを含む上側ＣＰ形成パターン２７（第１電極）と、これら上側ＣＰ形成パターン２７に隣接し、接地端子ＴＧを含む上側接地パターン２５Ｇが配設されている。また、二層基板２０の下面には、信号端子ＴＳを含む下側信号パターン２６Ｓと、接地端子ＴＧを含む下側ＣＰ形成パターン２８（第２電極）が配設されている。高周波ソケット５１において、信号端子ＴＳを含む導体と、接地端子ＴＧを含む導体は絶縁保持されている。
【００３５】
また、信号端子ＴＳと接地端子ＴＧにはそれぞれスパイラル状接触子ＳＣが導通を確保するように配設されている。すなわち、上側接地パターン２５Ｇ、上側ＣＰ形成パターン２７、および下側ＣＰ形成パターン２８の延設範囲内の所定位置に設けられたランド上に、それぞれのスパイラル状接触子ＳＣが導通を保持して載置されている。そして、上側ＣＰ形成パターン２７と、下側信号パターン２６Ｓは、スルーホール２２により導通している。同様に、上側接地パターン２５Ｇと、下側ＣＰ形成パターン２８も、二層基板２０を貫通するスルーホール２２により導通している。なお、図１，図２に示した多層基板４０におけるパターン面の呼称と同様に、図７，図８に示す二層基板２０においても「上面」と「下面」に関連して、各部を「上側」と「下側」の区別により呼称しているのは、説明の便宜上に過ぎず、機能的には何れの面が上、下、あるいは、表、裏であっても構わない。
【００３６】
図７，図８に示す二層基板２０の下面に位置する接地端子ＴＧを含む下側ＣＰ形成パターン２８を広くし、この下側ＣＰ形成パターン２８よりも、信号端子ＴＳを含む上側ＣＰ形成パターン２７を狭くしていることには理由がある。それは、スパイラル状接触子ＳＣおよび電子部品１０を実装するプリント基板に対する金属接近の影響は、接地端子ＴＧよりも信号端子ＴＳの方がより敏感かつ不安定であるため、信号端子ＴＳを含む上側ＣＰ形成パターン２７を狭くすることにより外乱の影響から鈍感にし、金属接近等を原因として不安定になる悪影響を避けるためである。このような理由により、接地端子ＴＧを含む下側ＣＰ形成パターン２８の面積を広くし、この下側ＣＰ形成パターン２８よりも、信号端子ＴＳを含む上側ＣＰ形成パターン２７の面積を狭くすることにより、電子部品１０の被接続端子１１にスパイラル状接触子ＳＣが接触する際、高周波特性の劣化を含めた変化が少なく、実用価値の高い最適な構造を実現できる。
【００３７】
図１，図２に示した第１実施形態における多層基板４０が４層構造であり、相当に複雑であることに対し、図７〜図９に示した第２実施形態における二層基板２０を用いれば、より簡素かつ安価に、高周波特性を改善する効果が得られる。
つまり、第１実施形態における多層基板４０の一形態として二層基板２０を用い、この二層基板２０それぞれの表層パターンにより、一方の上側ＣＰ形成パターンが第１電極２７を形成し、他方の下側ＣＰ形成パターンが第２電極２８を形成し、これら両電極により端子間静電容量ＣＰが形成されている。この高周波ソケット５１によれば、より簡素かつ安価に高周波特性を改善する効果が得られる。
【００３８】
なお、本発明に係る高周波ソケットの用途は、被検査デバイス等を着脱自在とする検査器具への用途と、大量生産品にデバイス等を実装する用途の何れに用いても効果を発揮できる。そして、スパイラル状接触子の表記が他の表現であったとしても、中央部が円錐形に立ち上がる渦巻き状の接触子と同等の構造の接触子を用いた高周波ソケットであれば、本発明の技術に含まれる。
さらに、第１実施形態における多層基板４０が４層構造であり、第２実施形態における二層基板２０でも実施可能なことを示したとおり、３層構造もしくは、５層以上の多層構造の基板を用いて高周波ソケットに適用することも容易に推測できるので、それらも全て本発明の技術範囲に含まれる。
【図面の簡単な説明】
【００３９】
【図１】第１実施形態に係る高周波ソケットを示す透視した斜視図である。
【図２】図１に示した高周波ソケットの利用状態の説明図であり、（ａ）スパイラル状接触子が接触する以前の正面透視図、（ｂ）図２（ａ）に示した高周波ソケットをＡ−Ａ線で断面した平面透視図である。
【図３】第１実施形態に係る高周波ソケットの高周波特性に関する説明図であり、（ａ）Ｔ型ＬＰＦによる等価回路図、（ｂ）周波数特性グラフである。
【図４】測定条件を揃えて測定した従来例に係る高周波ソケットの高周波特性であり、（ａ）等価回路図、（ｂ）周波数特性グラフである。
【図５】測定条件を揃えて測定した図１，図２に示す高周波ソケットの高周波特性であり、（ａ）等価回路図、（ｂ）周波数特性グラフである。
【図６】図１，図２に示した高周波ソケットによる最良の高周波特性であり、（ａ）等価回路図、（ｂ）周波数特性グラフである。
【図７】第２実施形態に係る高周波ソケットを示す透視した斜視図である。
【図８】図７に示した高周波ソケットの利用状態の説明図である。（ａ）スパイラル状接触子が接触する以前の正面図（ｂ）図８（ａ）に示した高周波ソケットをＢ−Ｂ線で断面した平面透視図である。
【図９】図８に示した高周波ソケットの利用状態の説明図である。（ａ）スパイラル状接触子が半分押し潰された状態の正面図（ｂ）スパイラル状接触子が完全に押し潰された状態の正面図である。
【符号の説明】
【００４０】
１０    電子部品
１１    被接続端子
２２    スルーホール
２５Ｓ    上側信号パターン
２５Ｇ    上側接地パターン
２６Ｓ    下側信号パターン
２６Ｇ    下側接地パターン
２７    上側ＣＰ形成パターン
２８    下側ＣＰ形成パターン
４０，２０  多層基板
４２    第二層パターン（第１電極）
４３    第三層パターン（第２電極）
５０，５１    高周波ソケット
Ａ１１  反射損
Ａ２１  伝送損
Ｃ    コンデンサ
Ｃ０    （隣接端子間の）浮遊容量
ＣＰ    端子間静電容量
Ｌ１    第１コイル
Ｌ２    第２コイル
Ｐ１，Ｐ２  ポート
ＴＲ  理想トランス
ＳＣ  スパイラル状接触子ＳＣ
ＴＳ    信号端子
ＴＧ    接地端子
【図１】
0004775956.tif 000002
【図２】
0004775956.tif 000003
【図３】
0004775956.tif 000004
【図４】
0004775956.tif 000005
【図５】
0004775956.tif 000006
【図６】
0004775956.tif 000007
【図７】
0004775956.tif 000008
【図８】
0004775956.tif 000009
【図９】
0004775956.tif 000010